(57)【要約】【課題】デフロストに用いられる冷媒の量を確実に確保できるようにして、デフロスト運転の高効率化を図る。【解決手段】冷媒回路（10）には、デフロスト運転時に用いられる冷媒を冷却運転時に貯留する冷媒貯留器（81）が設けられる。デフロスト運転に伴い各冷却熱交換器（102,112）内に液冷媒が溜まり込むと、冷媒貯留器（81）内の冷媒が冷媒回路（10）内に排出され、デフロスト運転の冷凍サイクルに用いられる冷媒が補充される。【選択図】図６
2008180429.tif 000002
【特許請求の範囲】
【請求項１】
圧縮機（41,42,43）と熱源側熱交換器（44）と利用側熱交換器（102,112）とレシーバ（45）とを有する冷媒回路（10）を備え、
上記熱源側熱交換器（44）が凝縮器となり、上記利用側熱交換器（102,112）が蒸発器となる冷凍サイクルを行う冷却運転と、上記利用側熱交換器（102,112）が凝縮器となり、上記熱源側熱交換器（44）が蒸発器となる冷凍サイクルを行うデフロスト運転とが切換可能な冷凍装置であって、
上記冷媒回路（10）には、上記デフロスト運転時の冷凍サイクルに用いられる冷媒を上記冷却運転中に貯留しておく冷媒貯留器（81）が接続されていることを特徴とする冷凍装置。
【請求項２】
請求項１において、
上記冷媒貯留器（81）は、上記冷却運転時における熱源側熱交換器（44）の流出側に接続されると共に室外に設置されていることを特徴とする冷凍装置。
【請求項３】
請求項２において、
上記冷媒貯留器（81）を収納すると共に、複数の空気流通孔（12b,12c）が開口する冷媒貯留器側ケーシング（12a）を備えていることを特徴とする冷凍装置。
【請求項４】
請求項２において、
上記冷却運転時に上記冷媒貯留器（81）の周囲に室外空気を流通させる送風手段（60,95）を備えていることを特徴とする冷凍装置。
【請求項５】
請求項４において、
上記送風手段は、熱源側熱交換器（44）へ室外空気を送風すると共に上記冷媒貯留器（81）の周囲に室外空気を流通させる室外ファン（60）で構成されていることを特徴とする冷凍装置。
【請求項６】
請求項２において、
上記圧縮機（41,42,43）及び熱源側熱交換器（44）を収納する熱源側ケーシング（11a）を備え、
上記冷媒貯留器（81）は、上記熱源側ケーシング（11a）の外側に配置されていることを特徴とする冷凍装置。
【請求項７】
請求項６において、
上記熱源側ケーシング（11a）には、その側面に吸込口（11b）が形成され、その上面に吹出口（11c）が形成されると共に、室外空気を上記吸込口（11b）から吸い込んで上記熱源側熱交換器（44）を通じて吹出口（11c）から吹き出すための室外ファン（60）が収納されており、
上記冷媒貯留器（81）は、上記熱源側ケーシング（11a）の吸込口（11b）に隣り合うように配置されていることを特徴とする冷凍装置。
【請求項８】
請求項２において、
過冷却用圧縮機（92）と過冷却用熱源側熱交換器（93）と過冷却熱交換器（91）とを有して冷凍サイクルを行う過冷却用冷媒回路（90b）を備え、
上記過冷却熱交換器（91）は、上記冷却運転中に上記冷媒回路（10）の冷媒貯留器（81）を流出した冷媒と、上記過冷却用冷媒回路（90b）側の低圧ガス冷媒とを熱交換させるように構成されていることを特徴とする冷凍装置。
【請求項９】
請求項８において、
上記過冷却用圧縮機（92）及び過冷却用熱源側熱交換器（93）を収納する過冷却側ケーシング（13a）を備え、
上記冷媒貯留器（81）は、上記過冷却側ケーシング（13a）の外側に配置されていることを特徴とする冷凍装置。
【請求項１０】
請求項９において、
上記過冷却側ケーシング（13a）には、その側方に吸込口（13b）が形成され、その上面に吹出口（13c）が形成されると共に、室外空気を上記吸込口（13b）から吸い込んで上記過冷却用熱源側熱交換器（93）を通じて吹出口（13c）から吹き出すための過冷却用室外ファン（95）が収納されており、
上記冷媒貯留器（81）は、上記過冷却側ケーシング（13a）の吸込口（13b）に隣り合うように配置されていることを特徴とする冷凍装置。
【発明の詳細な説明】
【技術分野】
【０００１】
本発明は、利用側熱交換器を備えた冷凍装置に関し、特に利用側熱交換器を除霜する冷凍サイクルを行うデフロスト運転が可能な冷凍装置に係るものである。
【背景技術】
【０００２】
従来より、冷凍サイクルを行う冷媒回路を備えた冷凍装置が知られており、食品等を貯蔵する冷蔵庫や冷凍庫等の冷却装置や、室内の冷房や暖房を行う空気調和装置等に広く適用されている。
【０００３】
例えば特許文献１には、二段圧縮冷凍サイクルが可能な空気調和装置が開示されている。この空気調和装置の冷媒回路には、高段側圧縮機と低段側圧縮機と室外熱交換器と室内熱交換器とが設けられている。この冷凍装置の暖房時には、低段側圧縮機及び高段側圧縮機が運転され、室内熱交換器が凝縮器となり室外熱交換器が蒸発器となる二段圧縮冷凍サイクルが行われる。また、この空気調和装置では、冬季において室外熱交換器に付着した霜を融かすデフロスト運転が可能となっている。このデフロスト運転時には、高段側圧縮機のみが運転され、室外熱交換器が凝縮器となり室内熱交換器が蒸発器となる冷凍サイクル（いわゆる逆サイクルデフロスト）が行われる。
【０００４】
また、特許文献２には、利用側熱交換器で庫内を冷却する冷凍装置が開示されている。この冷凍装置は、圧縮機と熱源側熱交換器と利用側熱交換器とを有する冷媒回路を備えている。この冷凍装置の冷却運転時には、熱源側熱交換器が凝縮器となり、利用側熱交換器が蒸発器となる冷凍サイクルが行われる。その結果、利用側熱交換器によって各庫内の空気が冷却される。
【特許文献１】特開２００４−８５０４７号公報
【特許文献２】特開２００２−２２８２９７号公報
【発明の開示】
【発明が解決しようとする課題】
【０００５】
ところで、特許文献２に開示の冷却運転と、特許文献１に開示のデフロスト運転とを切り換え可能とする冷凍装置が考えられる。具体的には、冷却運転時には、熱源側熱交換器を凝縮器としながら利用側熱交換器を蒸発器とする冷凍サイクルを行う一方、デフロスト運転では、熱源側熱交換器を蒸発器として利用側熱交換器を凝縮器とし、利用側熱交換器の除霜を行うことが考えられる。しかしながら、このようにして冷却運転からデフロスト運転へ移行すると、利用側熱交換器内では冷媒が急激に冷やされるため、この冷媒が凝縮して液冷媒となり、利用側熱交換器内に溜まってしまうことがある。その結果、利用側熱交換器では、いわゆる冷媒の寝込みが生じてしまうので、このデフロスト運転時の冷凍サイクルに用いられる冷媒の量が不足し、デフロスト不良に陥ることがある。
【０００６】
一方、上述した特許文献１に開示の冷凍装置には、冷媒回路で余剰となる冷媒を貯留したり、不足する冷媒を排出したりするレシーバが設けられている。しかしながら、このレシーバは、あくまで冷房／暖房運転の切換や利用側熱交換器の能力調整に伴う冷媒の循環量の変化に対応できるように、冷媒を貯留するものである。つまり、一般的にはこの種のレシーバは、上述したデフロスト運転での冷媒の寝込みに起因する冷媒量不足を充分補うだけの冷媒を貯留するように構成されていない。従って、上述したデフロスト運転時に利用側熱交換器内に多量の冷媒が寝込んでしまう場合には、レシーバ内に貯留された冷媒だけでは、デフロストに要する充分な冷媒の量を確保することができず、やはりデフロスト不良に陥ってしまう。
【０００７】
本発明は、かかる点に鑑みてなされたものであり、その目的とするところは、デフロスト運転時の冷凍サイクルに用いられる冷媒の量を確実に確保できるようにして、デフロスト運転の高効率化を図ることである。
【課題を解決するための手段】
【０００８】
第１の発明は、圧縮機（41,42,43）と熱源側熱交換器（44）と利用側熱交換器（102,112）とレシーバ（45）とを有する冷媒回路（10）を備え、上記熱源側熱交換器（44）が凝縮器となり、上記利用側熱交換器（102,112）が蒸発器となる冷凍サイクルを行う冷却運転と、上記利用側熱交換器（102,112）が凝縮器となり、上記熱源側熱交換器（44）が蒸発器となる冷凍サイクルを行うデフロスト運転とが切換可能な冷凍装置を前提としている。そして、この冷凍装置は、上記冷媒回路（10）に上記デフロスト運転時の冷凍サイクルに用いられる冷媒を上記冷却運転中に貯留しておく冷媒貯留器（81）が接続されていることを特徴とするものである。
【０００９】
第１の発明の冷凍装置では、利用側熱交換器（102,112）で例えば冷凍庫内を冷却する冷却運転と、利用側熱交換器（102,112）の表面の霜を融かすデフロスト運転とが可能となっている。
【００１０】
具体的には、上記冷却運転では、圧縮機（41,42,43）で圧縮された冷媒が、熱源側熱交換器（44）で凝縮した後、膨張弁等によって減圧され、利用側熱交換器（102,112）へ送られる。利用側熱交換器（102,112）では、冷媒が空気から吸熱して蒸発する。その結果、例えば冷凍庫内の空気が冷却される。利用側熱交換器（102,112）で蒸発した冷媒は、圧縮機（41,42,43）に吸入されて再び圧縮される。
【００１１】
一方、上記デフロスト運転では、圧縮機（41,42,43）で圧縮された冷媒が、利用側熱交換器（102,112）へ送られる。利用側熱交換器（102,112）では、冷媒が伝熱管の表面に付着した霜に対して放熱する。その結果、利用側熱交換器（102,112）では、冷媒が凝縮する一方、伝熱管の表面の霜が徐々に融解して除霜される。利用側熱交換器（102,112）で凝縮した冷媒は、膨張弁等で減圧された後、熱源側熱交換器（44）で蒸発する。熱源側熱交換器（44）で蒸発した冷媒は、圧縮機（41,42,43）に吸入されて再び圧縮される。
【００１２】
ところで上述したようなデフロスト運転で利用側熱交換器（102,112）の除霜を行うと、利用側熱交換器（102,112）内には除霜に利用されて凝縮した冷媒が液冷媒として溜まり易くなる。その結果、デフロスト運転時の冷凍サイクルに用いられる冷媒の量が不足してしまい、利用側熱交換器（102,112）の除霜を効率良く行うことが困難となる。
【００１３】
そこで、本発明では、デフロスト運転時の冷凍サイクルに用いられる冷媒を冷却運転時に貯留するための冷媒貯留器（81）を冷媒回路（10）に設けている。このため、デフロスト運転時の冷凍サイクルに伴い利用側熱交換器（102,112）内に冷媒が寝込んでいくと、冷媒貯留器（81）からは寝込んだ冷媒の量に相当する冷媒が冷媒回路（10）へ適宜補充されることになる。その結果、利用側熱交換器（102,112）へ送られる冷媒が不足してしまうことが未然に回避されるので、デフロストに要する冷媒の量が充分に確保されることになる。
【００１４】
第２の発明は、第１の発明の冷凍装置において、上記冷媒貯留器（81）は、冷却運転時における熱源側熱交換器（44）の流出側に接続されると共に室外に設置されていることを特徴とするものである。
【００１５】
第２の発明の冷却運転では、圧縮機（41,42,43）で圧縮されて熱源側熱交換器（44）で凝縮した冷媒が、冷媒貯留器（81）内へ流入する。ここで、冷媒貯留器（81）の周囲は室外空気雰囲気となっている。また、冷媒貯留器（81）内には比較的多量の冷媒が溜まった状態となっている。このため、冷媒貯留器（81）内の冷媒は室外空気へ放熱することになる。その結果、冷媒貯留器（81）から流出して利用側熱交換器（102,112）へ供給される冷媒のエンタルピが低下するため、利用側熱交換器（102,112）の冷却能力が向上する。
【００１６】
第３の発明は、第２の発明の冷凍装置において、上記冷媒貯留器（81）を収納すると共に、複数の空気流通孔（12b,12c）が開口する冷媒貯留器側ケーシング（12a）を備えていることを特徴とするものである。
【００１７】
第３の発明では、冷媒貯留器（81）が冷媒貯留器側ケーシング（12a）に収納される。このため、冷媒貯留器（81）が冷媒貯留器側ケーシング（12a）によって保護される。また、冷媒貯留器側ケーシング（12a）には、複数の空気流通孔（12b,12c）が形成されている。このため、冷媒貯留器（81）の周囲が室外空気雰囲気となる。冷却運転時に冷媒貯留器（81）から室外空気へ放熱すると、この熱は空気流通孔（12b,12c）を通じて冷媒貯留器側ケーシング（12a）の外側に放出される。
【００１８】
第４の発明は、第２の発明の冷凍装置において、上記冷却運転時に上記冷媒貯留器（81）の周囲に室外空気を流通させる送風手段（60,95）を備えていることを特徴とするものである。
【００１９】
第４の発明では、送風手段（60,95）によって搬送される室外空気が、冷媒貯留器（81）の周囲を流通する。その結果、冷媒貯留器（81）内の冷媒の放熱量が増大し、この冷媒の過冷却度が増大する。従って、利用側熱交換器（102,112）に冷却能力が更に向上する。
【００２０】
第５の発明は、第４の発明の冷凍装置において、上記送風手段は、熱源側熱交換器（44）へ室外空気を送風すると共に上記冷媒貯留器（81）の周囲に室外空気を流通させる室外ファン（60）で構成されていることを特徴とするものである。
【００２１】
第５の発明では、冷媒貯留器（81）の周囲に室外空気を流通させるための送風手段として、室外ファン（60）が用いられる。この室外ファン（60）は、冷却運転時において熱源側熱交換器（44）へ室外空気を送風する。その結果、熱源側熱交換器（44）では、冷媒が室外空気へ放熱して凝縮する。更に、室外ファン（60）は、冷媒貯留器（81）の周囲に室外空気を流通させる気流を形成する。その結果、冷媒貯留器（81）では、冷媒が室外空気へ放熱して冷却される。以上のように、本発明では、熱源側熱交換器（44）での冷媒の凝縮と、冷媒貯留器（81）での冷媒の冷却との双方に、室外ファン（60）を利用するようにしている。
【００２２】
第６の発明は、第２の発明の冷凍装置において、上記圧縮機（41,42,43）及び熱源側熱交換器（44）を収納する熱源側ケーシング（11a）を備え、上記冷媒貯留器（81）は、上記熱源側ケーシング（11a）の外側に配置されていることを特徴とするものである。
【００２３】
第６の発明では、圧縮機（41,42,43）及び熱源側熱交換器（44）が熱源側ケーシング（11a）に収納される。一方、冷媒貯留器（81）は、熱源側ケーシング（11a）の外側に配置され、圧縮機（41,42,43）や熱源側熱交換器（44）と区画されている。このため、駆動された圧縮機（41,42,43）から発生する熱や、熱源側熱交換器（44）から放出される凝縮熱等が、冷媒貯留器（81）に伝わってしまうのが回避される。従って、冷却運転時において冷媒貯留器（81）内の冷媒が加熱されることに伴い、利用側熱交換器（102,112）の冷却能力が低下してしまうことが防止される。
【００２４】
第７の発明は、第６の発明の冷凍装置において、上記熱源側ケーシング（11a）には、その側面に吸込口（11b）が形成され、その上面に吹出口（11c）が形成されると共に、室外空気を上記吸込口（11b）から吸い込んで上記熱源側熱交換器（44）を通じて吹出口（11c）から吹き出すための室外ファン（60）が収納されており、上記冷媒貯留器（81）は、上記熱源側ケーシング（11a）の吸込口（11b）に隣り合うように配置されていることを特徴とするものである。
【００２５】
第７の発明では、熱源側ケーシング（11a）に収納された室外ファン（60）が駆動されることで、熱源側ケーシング（11a）の側方より室外空気が吸込口（11b）に導入される。この室外空気は、熱源側熱交換器（44）を通過した後、吹出口（11c）から熱源側ケーシング（11a）の上方へ吹き出される。ここで、本発明では、冷媒貯留器（81）が吸込口（11b）に隣り合うように配置されている。このため、室外空気が吸込口（11b）に吸い込まれる際には、冷媒貯留器（81）の周囲に気流が発生することになる。従って、冷却運転時において、冷媒貯留器（81）内の液冷媒から室外空気への放熱量が増大し、この液冷媒の過冷却度が増大する。
【００２６】
また、本発明では、熱源側熱交換器（44）を通過する際に昇温された空気が、熱源側ケーシング（11a）の上方に吹き出される。従って、このようにして昇温された空気が冷媒貯留器（81）の周囲を流れることがないので、冷媒貯留器（81）内の冷媒が加熱されてしまうことが防止される。
【００２７】
第８の発明は、第２の発明の冷凍装置において、過冷却用圧縮機（92）と過冷却用熱源側熱交換器（93）と過冷却熱交換器（91）とを有して冷凍サイクルを行う過冷却用冷媒回路（90b）を備え、上記過冷却熱交換器（91）は、上記冷却運転中に上記冷媒回路（10）の冷媒貯留器（81）を流出した冷媒と、上記過冷却用冷媒回路（90b）側の低圧ガス冷媒とを熱交換させるように構成されていることを特徴とするものである。
【００２８】
第８の発明の冷凍装置には、過冷却用冷媒回路（90b）が設けられる。過冷却用冷媒回路（90b）は、過冷却熱交換器（91）を介して冷媒回路（10）と接続される。過冷却用冷媒回路（90b）では、蒸気圧縮式の冷凍サイクルが行われる。具体的には、過冷却用圧縮機（92）で圧縮された冷媒は、過冷却用熱源側熱交換器（93）で凝縮し、膨張弁等で減圧されて低圧ガス冷媒となり、その後に過冷却熱交換器（91）へ送られる。冷却運転時の過冷却熱交換器（91）では、この低圧ガス冷媒と、冷媒回路（10）側の冷媒貯留器（81）を流出した冷媒とが熱交換する。その結果、低圧ガス冷媒は、冷媒回路（10）側の冷媒から吸熱して蒸発する一方、冷媒回路（10）側の冷媒は冷却される。従って、冷媒回路（10）側の冷媒の過冷却度が更に増大するので、利用側熱交換器（102,112）の冷却能力も更に向上する。
【００２９】
また、仮に過冷却熱交換器（91）において、冷媒貯留器（81）の流入側の冷媒と低圧ガス冷媒とを熱交換させるようにすると、過冷却熱交換器（91）で冷却された後の冷媒が冷媒貯留器（81）に溜まることになる。このような場合には、冷媒貯留器（81）内の冷媒が室外空気よりも低温となり、室外空気から冷媒貯留器（81）内の冷媒へ熱が付与されてしまう可能性がある。その結果、その後に利用側熱交換器（102,112）へ送られる冷媒の過冷却度が小さくなってしまい、利用側熱交換器（102,112）の冷却能力も低下してしまう。これに対し、本発明では、冷媒貯留器（81）を流出した冷媒を過冷却熱交換器（91）で冷却するようにしているので、上述のような理由により、冷媒の過冷却度が小さくなってしまうことがない。
【００３０】
第９の発明は、第８の発明の冷凍装置において、上記過冷却用圧縮機（92）及び過冷却用熱源側熱交換器（93）を収納する過冷却側ケーシング（13a）を備え、上記冷媒貯留器（81）は、上記過冷却側ケーシング（13a）の外側に配置されていることを特徴とするものである。
【００３１】
第９の発明では、過冷却用圧縮機（92）及び過冷却用熱源側熱交換器（93）が過冷却側ケーシング（13a）に収納される。一方、冷媒貯留器（81）は、過冷却側ケーシング（13a）の外側に配置され、過冷却用圧縮機（92）や過冷却用熱源側熱交換器（93）と区画されている。このため、駆動された過冷却用圧縮機（92）から発生する熱や、過冷却用熱源側熱交換器（93）から放出される凝縮熱が、冷媒貯留器（81）に伝わってしまうのが回避される。従って、冷却運転時において冷媒貯留器（81）内の冷媒が加熱されることに伴い、利用側熱交換器（102,112）の冷却能力が低下してしまうことが防止される。
【００３２】
第１０の発明は、第９の発明の冷凍装置において、上記過冷却側ケーシング（13a）には、その側方に吸込口（13b）が形成され、その上面に吹出口（13c）が形成されると共に、室外空気を上記吸込口（13b）から吸い込んで上記過冷却用熱源側熱交換器（93）を通じて吹出口（13c）から吹き出すための過冷却用室外ファン（95）が収納されており、上記冷媒貯留器（81）は、上記過冷却側ケーシング（13a）の吸込口（13b）に隣り合うように配置されていることを特徴とするものである。
【００３３】
第１０の発明では、過冷却側ケーシング（13a）に収納された過冷却用室外ファン（95）が駆動されることで、過冷却側ケーシング（13a）の側方より室外空気が吸込口（13b）に導入される。この室外空気は、過冷却用熱源側熱交換器（93）を通過した後、吹出口（13c）から過冷却側ケーシング（13a）の上方へ吹き出される。ここで、本発明では、冷媒貯留器（81）が吸込口（13b）に隣り合うように配置されている。このため、室外空気が吸込口（13b）に吸い込まれる際には、冷媒貯留器（81）の周囲に気流が発生することになる。従って、冷却運転時において、冷媒貯留器（81）内の冷媒から室外空気への放熱量が増大し、この冷媒の過冷却度が増大する。
【００３４】
また、本発明では、過冷却用熱源側熱交換器（93）を通過する際に昇温された空気が、過冷却側ケーシング（13a）の上方に吹き出される。従って、このようにして昇温された空気が冷媒貯留器（81）の周囲を流れることがないので、冷媒貯留器（81）内の冷媒が加熱されてしまうことが防止される。
【発明の効果】
【００３５】
本発明では、デフロスト運転時の冷凍サイクルに用いられる冷媒を貯留するための冷媒貯留器（81）を冷媒回路（10）に設けるようにしている。このため、本発明によれば、デフロスト運転時に利用側熱交換器（102,112）で冷媒の寝込みが生じても、この冷媒の寝込み量に相当する冷媒を冷媒貯留器（81）から冷媒回路（10）へ適宜補充することができる。従って、利用側熱交換器（102,112）を除霜するための冷媒を確実に確保することができ、デフロスト不良に陥ってしまうことを未然に回避することができる。
【００３６】
第２の発明では、冷媒貯留器（81）を室外に設置すると共に、冷却運転中の熱源側熱交換器（44）の流出側に設けるようにしている。このため、本発明によれば、冷却運転時に熱源側熱交換器（44）で凝縮した冷媒を冷媒貯留器（81）内に貯め込むと共に、この冷媒を室外空気によって冷却することができる。従って、利用側熱交換器（102,112）へ送られる冷媒の過冷却度が増大するので、この冷凍装置の冷却能力を向上させることができる。
【００３７】
第３の発明では、冷媒貯留器（81）を冷媒貯留器側ケーシング（12a）内に収納するようにしたので、冷媒貯留器（81）の劣化や汚れの付着を防止できる。ここで、冷媒貯留器側ケーシング（12a）には、複数の空気流通孔（12b,12c）を形成するようにしたので、冷媒貯留器（81）内の冷媒の放熱効果が低下してしまうこともない。
【００３８】
第４の発明では、送風手段（60,95）が搬送する室外空気を冷媒貯留器（81）の周囲に流通させるようにしている。このため、本発明によれば、冷媒貯留器（81）内の冷媒を効果的に冷却することができ、冷凍装置の冷却能力を更に向上させることができる。
【００３９】
第５の発明では、室外ファン（60）が搬送する室外空気を、熱源側熱交換器（44）における冷媒の凝縮と、冷媒貯留器（81）の放熱との双方に利用するようにしている。従って、ファン動力及び部品点数の削減を図ることができる。
【００４０】
第６の発明では、圧縮機（41,42,43）や熱源側熱交換器（44）が収納される熱源側ケーシング（11a）の外側に冷媒貯留器（81）を設けるようにしている。このため、本発明によれば、圧縮機（41,42,43）や熱源側熱交換器（44）から発する熱が冷媒貯留器（81）に伝導してしまうことを防止できるので、冷媒貯留器（81）内の冷媒の放熱効果が低下してしまうことも未然に回避できる。
【００４１】
第７の発明では、熱源側ケーシング（11a）の吸込口（11b）に隣り合うように冷媒貯留器（81）を配置するようにしている。このため、本発明によれば、室外ファン（60）の運転に伴い熱源側ケーシング（11a）内へ導入される吸込空気を利用して、冷媒貯留器（81）内の冷媒を冷却することができる。
【００４２】
第８の発明では、冷媒貯留器（81）を流出した冷媒を過冷却熱交換器（91）で冷却するようにしている。このため、本発明によれば、利用側熱交換器（102,112）へ送られる冷媒の過冷却度を更に増大させることができ、冷凍装置の冷却能力を更に向上させることができる。
【００４３】
第９の発明では、過冷却用圧縮機（92）や過冷却用熱源側熱交換器（93）が収納される過冷却側ケーシング（13a）の外側に冷媒貯留器（81）を設けるようにしている。このため、本発明によれば、過冷却用圧縮機（92）や過冷却用熱源側熱交換器（93）から発する熱が冷媒貯留器（81）に伝導してしまうことを防止できるので、冷媒貯留器（81）内の冷媒の放熱効果が低下してしまうことも未然に回避できる。
【００４４】
第１０の発明では、過冷却側ケーシング（13a）の吸込口（13b）に隣り合うように冷媒貯留器（81）を配置するようにしている。このため、本発明によれば、過冷却用室外ファン（95）の運転に伴い過冷却側ケーシング（13a）内へ導入される吸込空気を利用して、冷媒貯留器（81）内の冷媒を冷却することができる。
【発明を実施するための最良の形態】
【００４５】
以下、本発明の実施形態を図面に基づいて詳細に説明する。
【００４６】
本実施形態の冷凍装置（5）は、コンビニエンスストア等に設置されて、冷凍庫内の冷却を行うものである。まず、冷凍装置（5）の全体構成について、図１を参照しながら説明する。
【００４７】
本実施形態の冷凍装置（5）は、室外ユニット（11）、拡張ユニット（12）、過冷却ユニット（13）、冷凍ショーケース（14）、第１ブースタユニット（15）、及び第２ブースタユニット（16）を備えている。上記室外ユニット（11）、拡張ユニット（12）、及び過冷却ユニット（13）は、屋外に設置されている。一方、残りのユニット（14,15,16）は、何れもコンビニエンスストア等の店内に設置されている。
【００４８】
室外ユニット（11）には室外回路（40）が、拡張ユニット（12）には拡張回路（80）が、過冷却ユニット（13）には過冷却回路（90a）及び過冷却用冷媒回路（90b）がそれぞれ設けられている。室外回路（40）と拡張回路（80）と過冷却回路（90a）とは、直列に接続されて熱源側回路を構成している。冷凍ショーケース（14）には第１冷凍回路（100）及び第２冷凍回路（110）が、第１ブースタユニット（15）には第１ブースタ回路（120）が、第２ブースタユニット（16）には第２ブースタ回路（160）がそれぞれ設けられている。第１冷凍回路（100）と第１ブースタ回路（120）とは、直列に接続されて第１利用側回路を構成している。第２冷凍回路（110）と第２ブースタ回路（160）とは、直列に接続されて第２利用側回路を構成している。
【００４９】
この冷凍装置（5）では、熱源側回路（40,80,90）に第１利用側回路（100,120）と第２利用側回路（110,160）とが並列に接続されることで、冷媒回路（10）が構成されている。冷媒回路（10）及び上記過冷却用冷媒回路（90b）とでは、冷媒が循環することで蒸気圧縮式の冷凍サイクルがそれぞれ可能となっている。
【００５０】
室外回路（40）の端部には、第１閉鎖弁（21）と第２閉鎖弁（22）とが設けられている。第２閉鎖弁（22）は、第１連絡配管（31）を介して上記拡張回路（80）の一端と接続している。拡張回路（80）の他端は、第２連絡配管（32）を介して上記過冷却回路（90a）の一端と接続している。過冷却回路（90a）の他端は、第３連絡配管（33）を介して上記第１冷凍回路（100）及び第２冷凍回路（110）の一端と接続している。第１冷凍回路（100）の他端は、第４連絡配管（34）を介して第１ブースタ回路（120）の一端と接続し、第２冷凍回路（110）の他端は、第５連絡配管（35）を介して第２ブースタ回路（160）の一端と接続している。第１ブースタ回路（120）の他端には第３閉鎖弁（23）が、第２ブースタ回路（160）の他端には第４閉鎖弁（24）がそれぞれ設けられている。第３閉鎖弁（23）及び第４閉鎖弁（24）は、第６連絡配管（36）を介して上記第１閉鎖弁（21）と接続している。
【００５１】
《室外ユニット》
室外ユニット（11）の室外回路（40）には、第１高段側圧縮機（41）、第２高段側圧縮機（42）、第３高段側圧縮機（43）、室外熱交換器（44）、レシーバ（45）、内部熱交換器（46）、室外膨張弁（47）、及び四路切換弁（48）が設けられている。
【００５２】
上記各高段側圧縮機（41,42,43）は、何れも全密閉型で高圧ドーム型のスクロール圧縮機で構成されている。第１高段側圧縮機（41）は、インバータを介して電力が供給される可変容量型の圧縮機を構成している。つまり、第１高段側圧縮機（41）は、インバータの出力周波数を変化させて圧縮機モータの回転速度を変更することにより、その容量が変更可能となっている。第２高段側圧縮機（42）及び第３高段側圧縮機（43）は、固定容量型の圧縮機を構成している。つまり、第２高段側圧縮機（42）及び第３高段側圧縮機（43）は、圧縮機モータが常に一定の回転速度で運転されるものであって、その容量が変更不能となっている。
【００５３】
第１高段側圧縮機（41）の吐出側には第１吐出管（51）の一端が、第２高段側圧縮機（42）の吐出側には第２吐出管（52）の一端が、第３高段側圧縮機（43）の吐出側には第３吐出管（53）の一端がそれぞれ接続している。これらの吐出管（51,52,53）の他端は、高段側吐出管（54）を介して上記四路切換弁（48）と接続している。また、第１高段側圧縮機（41）の吸入側には第１吸入管（55）が、第２高段側圧縮機（42）の吸入側には第２吸入管（56）が、第３高段側圧縮機（43）の吸入側には第３吸入管（57）がそれぞれ接続している。これらの吸入管（55,56,57）の他端は、高段側吸入管（58）を介して上記四路切換弁（48）と接続している。
【００５４】
高段側吐出管（54）には、高段側油分離器（59）が設けられている。高段側油分離器（59）には、その底部に高段側油戻し管（59a）の一端が接続されている。高段側油戻し管（59a）の他端は、高段側吸入管（58）に接続されている。また、高段側油戻し管（59a）には、開閉自在な第１電磁弁（SV1）が設けられている。高段側油分離器（59）では、各高段側圧縮機（41,42,43）の吐出冷媒中から油（冷凍機油）が分離される。高段側油分離器（59）で分離された油は、第１電磁弁（SV1）が開放された状態の高段側油戻し管（59a）を経由して、各高段側圧縮機（41,42,43）に吸入される。
【００５５】
上記室外熱交換器（44）は、クロスフィン式のフィン・アンド・チューブ型熱交換器であって、熱源側熱交換器を構成している。室外熱交換器（44）の近傍には、室外ファン（60）が設けられている。この室外熱交換器（44）では、上記室外ファン（60）が送風する室外空気と冷媒との間で熱交換が行われる。室外熱交換器（44）は、その一端が四路切換弁（48）に接続され、その他端が第１液管（61）を介して上記レシーバ（45）の頂部に接続されている。
【００５６】
上記レシーバ（45）は、冷媒回路（10）で余剰となる冷媒を容器内に貯留するものである。レシーバ（45）は、約１０Ｌ（リットル）程度の内部容積を有している。レシーバ（45）には、その頂部に上記第１液管（61）が接続され、その底部に第２液管（62）が接続されている。
【００５７】
上記内部熱交換器（46）は、第１伝熱管（46a）と第２伝熱管（46b）とを有し、各伝熱管（46a,46b）を流れる冷媒同士を熱交換させるものである。この内部熱交換器（46）は、例えばプレート熱交換器で構成されている。
【００５８】
第１伝熱管（46a）は、その一端が上記第２液管（62）に接続され、その他端が第３液管（63）を介して上記第２閉鎖弁（22）に接続されている。第３液管（63）の途中には、第１分岐管（64）及び第２分岐管（65）の一端がそれぞれ接続されている。第１分岐管（64）及び第２分岐管（65）の他端は、それぞれ第１液管（61）の途中に接続されている。第１分岐管（64）には、上記室外膨張弁（47）が設けられている。室外膨張弁（47）は、開度が調節可能な電子膨張弁であって、熱源側膨張弁を構成している。また、第１分岐管（64）の途中には、第１インジェクション管（66）の一端が接続されている。第１インジェクション管（66）の他端は、高段側吸入管（58）に接続されている。第１インジェクション管（66）には、電動弁である第１電動弁（66a）が設けられている。
【００５９】
第２伝熱管（46b）は、その一端が第２インジェクション管（67）を介して上記第１分岐管（64）の途中に接続され、その他端が高段側吸入管（58）に接続されている。第２インジェクション管（67）には、電動弁である第２電動弁（67a）が設けられている。
【００６０】
上記四路切換弁（48）は、第１から第４までのポートを備えている。四路切換弁（48）では、第１のポートが高段側吐出管（54）に、第２のポートが室外熱交換器（44）に、第３のポートが高段側吸入管（58）に、第４のポートが第１閉鎖弁（21）にそれぞれ接続されている。この四路切換弁（48）は、第１のポートと第２のポートが互いに連通して第３のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６１】
室外回路（40）には、各種のセンサが設けられている。具体的には、上記第１吐出管（51）には第１吐出温度センサ（71）が、第２吐出管（52）には第２吐出温度センサ（72）が、第３吐出管（53）には第３吐出温度センサ（73）がそれぞれ設けられている。各吐出温度センサ（71,72,73）は、各高段側圧縮機（41,42,43）の吐出冷媒の温度をそれぞれ検出する。また、高段側吐出管（54）には高段側高圧圧力センサ（74）が、高段側吸入管（58）には高段側低圧圧力センサ（75）がそれぞれ設けられている。高段側高圧圧力センサ（74）は、室外回路（40）の高圧側の冷媒の圧力を、高段側低圧圧力センサ（75）は、室外回路（40）の低圧側の冷媒の圧力をそれぞれ検出する。また、室外ファン（60）の近傍には、室外温度センサ（76）が設けられている。室外温度センサ（76）は、室外熱交換器（44）の周囲の室外空気の温度を検出する。
【００６２】
室外回路（40）には、複数の逆止弁が設けられている。具体的には、第１吐出管（51）には第１逆止弁（CV1）が、第２吐出管（52）には第２逆止弁（CV2）が、第３吐出管（53）には第３逆止弁（CV3）がそれぞれ設けられている。また、第１液管（61）には第４逆止弁（CV4）が、第３液管（63）には第５逆止弁（CV5）が、第２分岐管（65）には第６逆止弁（CV6）がそれぞれ設けられている。なお、これらの逆止弁及びその後に説明する逆止弁は、図１に付した矢印の指す方向のみの冷媒の流通を許容し、その逆方向への冷媒の流れを禁止している。
【００６３】
室外回路（40）には、上述した第１閉鎖弁（21）及び第２閉鎖弁（22）以外にも複数の閉鎖弁が設けられている。具体的には、第１液管（61）には第５閉鎖弁（25）が、第２液管（62）には第６閉鎖弁（26）が、第１分岐管（64）には第７閉鎖弁（27）がそれぞれ設けられている。
【００６４】
《拡張ユニット》
拡張ユニット（12）の拡張回路（80）には、冷媒貯留器（81）が設けられている。この冷媒貯留器（81）は、円筒密閉状の縦長の容器を構成しており、その内部に冷媒が貯留可能に構成されている。具体的には、冷媒貯留器（81）は、約１０Ｌ〜１５Ｌ程度の内部容積を有している。この冷媒貯留器（81）は、デフロスト運転時の冷凍サイクルを用いられる冷媒を冷却運転時に貯留するものである。これらデフロスト運転及び冷却運転の詳細は後述するものとする。
【００６５】
冷媒貯留器（81）には、その底部寄りの周面に第４液管（82）及び第５液管（83）の一端が接続されている。第４液管（82）の他端は第１連絡配管（31）と接続し、第５液管（83）の他端は第２連絡配管（32）と接続している。また、拡張回路（80）には、第５液管（84）に第８閉鎖弁（28）が設けられている。冷媒貯留器（81）は、この第８閉鎖弁（28）を通じて冷媒が充填可能となっている。
【００６６】
《過冷却ユニット》
過冷却ユニット（13）では、過冷却回路（90a）と過冷却用冷媒回路（90b）とが過冷却熱交換器（91）を介して互いに接続されている。過冷却熱交換器（91）には、過冷却回路（90a）側に高圧側伝熱管（91a）が設けられ、過冷却用冷媒回路（90b）側に低圧側伝熱管（91b）が設けられている。過冷却熱交換器（91）は、各伝熱管（91a,91b）をそれぞれ流れる冷媒を互いに熱交換させるように構成されている。この過冷却熱交換器（91）は、例えばプレート熱交換器で構成されている。
【００６７】
過冷却用冷媒回路（90b）には、低圧側伝熱管（91b）の流出側から順に、過冷却用圧縮機（92）、過冷却用室外熱交換器（93）、及び過冷却用膨張弁（94）が接続されている。
【００６８】
過冷却用圧縮機（92）は、可変容量型の圧縮機を構成している。過冷却用室外熱交換器（93）は、クロスフィン式のフィン・アンド・チューブ型熱交換器であり、過冷却用熱源側熱交換器を構成している。過冷却用室外熱交換器（93）の近傍には、過冷却用室外ファン（95）が設けられている。過冷却用室外熱交換器（93）では、過冷却用室外ファン（95）が送風する室外空気と冷媒との間で熱交換が行われる。過冷却用膨張弁（94）は、開度が調節可能な電子膨張弁で構成されている。
【００６９】
また、過冷却用冷媒回路（90b）には、過冷却用圧縮機（92）の吸入管に過冷却側低圧圧力センサ（96）が設けられている。過冷却側低圧圧力センサ（96）は、過冷却用冷媒回路（90b）の低圧側の冷媒の圧力を検出する。また、過冷却用室外ファン（95）の近傍には、過冷却側室外温度センサ（97）が設けられている。過冷却側室外温度センサ（97）は、過冷却用室外熱交換器（93）の周囲の室外空気の温度を検出する。
【００７０】
《冷凍ショーケース》
冷凍ショーケース（14）では、第１冷凍回路（100）と第２冷凍回路（110）とが第３連絡配管（33）から分岐して並列に設けられている。第１冷凍回路（100）には第１室内膨張弁（101）及び第１冷却熱交換器（102）が設けられ、第２冷凍回路（110）には第２室内膨張弁（111）及び第２冷却熱交換器（112）が設けられている。各室内膨張弁（101,111）は、開度が調節可能な電子膨張弁であって、利用側膨張弁を構成している。
【００７１】
上記各冷却熱交換器（102,112）は、クロスフィン式のフィン・アンド・チューブ型熱交換器であって、利用側熱交換器をそれぞれ構成している。第１冷却熱交換器（102）と第２冷却熱交換器（112）とは、同一の庫内に配置されている。また、各冷却熱交換器（102,112）は、図２に示すように、各々の伝熱管が同じフィン（102a）を貫通するように近接して配置されている。つまり、各冷却熱交換器（102,112）は、同一のフィン（102a）を互いに共用している。また、各冷却熱交換器（102,112）の伝熱管は、互いに接触していても良いし、所定の間隔を介して配列されていても良い。なお、図１では、便宜上、各冷却熱交換器（102,112）を互いに離して図示している。各冷却熱交換器（102,112）の近傍には、庫内ファン（103）が設けられている。各冷却熱交換器（102,112）では、庫内ファン（103）が送風する庫内空気と、各々の冷媒との間でそれぞれ熱交換が行われる。
【００７２】
また、冷凍ショーケース（14）では、両冷却熱交換器（102,112）の下側にドレンパン（104）が設置されている。ドレンパン（104）は、各冷却熱交換器（102,112）の表面から落下する霜や結露水を回収する開放型の容器を構成している。ドレンパン（104）の内部には、第３連絡配管（33）の一部をなす加熱配管部（33a）が設けられている。加熱配管部（33a）は、ドレンパン（104）の底板に沿うように形成されている。この加熱配管部（33a）は、その内部を流れる冷媒の熱を利用して、ドレンパン（104）に回収された霜や氷塊を融解させるものである。なお、図１では、便宜上、上記庫内ファン（103）とドレンパン（104）と加熱配管部（33a）とを、第１冷却熱交換器（102）寄りに図示している。
【００７３】
また、第１冷凍回路（100）には、第１冷媒温度センサ（105）と第２冷媒温度センサ（106）とが設けられている。第１冷媒温度センサ（105）は、冷却運転中の第１冷却熱交換器（102）の流入側に設けられ、第２冷媒温度センサ（106）は、冷却運転中の第１冷却熱交換器（102）の流出側に設けられている。第２冷凍回路（110）には、第３冷媒温度センサ（115）と第４冷媒温度センサ（116）とが設けられている。第３冷媒温度センサ（115）は、冷却運転中の第２冷却熱交換器（112）の流入側に設けられ、第４冷媒温度センサ（116）は、冷却運転中の第２冷却熱交換器（112）の流出側に設けられている。各温度センサ（105,106,115,116）は、対応する箇所を流れる冷媒の温度をそれぞれ検出する。更に、庫内ファン（103）の近傍には、庫内温度センサ（107）が設けられている。庫内温度センサ（107）は、冷凍ショーケース（14）内の庫内空気の温度を検出する。
【００７４】
《第１ブースタユニット》
上記第１ブースタユニット（15）の第１ブースタ回路（120）には、第１低段側圧縮機（121）、第２低段側圧縮機（122）、及び第３低段側圧縮機（123）が設けられている。上記各低段側圧縮機（121,122,123）は、何れも全密閉型で高圧ドーム型のスクロール圧縮機で構成されている。第１低段側圧縮機（121）は、インバータを介して電力が供給される可変容量型の圧縮機を構成している。つまり、第１低段側圧縮機（121）は、インバータの出力周波数を変化させて圧縮機モータの回転速度を変更することにより、その容量が変更可能となっている。第２低段側圧縮機（122）及び第３低段側圧縮機（123）は、固定容量型の圧縮機を構成している。つまり、第２及び第３低段側圧縮機（122,123）は、圧縮機モータが常に一定の回転速度で運転されるものであって、その容量が変更不能となっている。
【００７５】
第１低段側圧縮機（121）の吐出側には第４吐出管（131）の一端が、第２低段側圧縮機（122）の吐出側には第５吐出管（132）の一端が、第３低段側圧縮機（123）の吐出側には第６吐出管（133）の一端がそれぞれ接続している。これらの吐出管（131,132,133）の他端は、第１低段側吐出管（134）を介して第３閉鎖弁（23）と接続している。また、第１低段側圧縮機（121）の吸入側には第４吸入管（135）が、第２低段側圧縮機（122）の吸入側には第５吸入管（136）が、第３低段側圧縮機（123）の吸入側には第６吸入管（137）がそれぞれ接続している。これらの吸入管（135,136,137）の他端は、第１低段側吸入管（138）を介して上記第４連絡配管（34）と接続している。
【００７６】
第１低段側吐出管（134）には、第１低段側油分離器（124）が設けられている。第１低段側油分離器（124）には、円筒密閉状に形成されており、その底部に第１低段側油戻し管（124a）の一端が接続されている。第１低段側油戻し管（124a）の他端は、第１低段側吸入管（138）に接続されている。また、第１低段側油戻し管（124a）には、第２電磁弁（SV2）が設けられている。第１低段側油分離器（124）では、第１から第３までの各低段側圧縮機（121,122,123）の吐出冷媒中の油（冷凍機油）が分離される。第１低段側油分離器（124）で分離された油は、第２電磁弁（SV2）が開放された状態の低段側油戻し管（124a）を経由して、各低段側圧縮機（121,122,123）に吸入される。
【００７７】
第１ブースタ回路（120）の各低段側圧縮機（121,122,123）には、それぞれ第１から第３までの油排出管（141,142,143)が接続されている。各油排出管（141,142,143）は、その一端が各低段側圧縮機（121,122,123）のケーシング内の油溜まりにそれぞれ開口しており、その他端は第１低段側吐出管（134）にそれぞれ接続している。第１から第３までの油排出管（141,142,143）には、それぞれ第３電磁弁（SV3）、第４電磁弁（SV4）、及び第５電磁弁（SV5）が設けられている。各油排出管（141,142,143）では、各電磁弁（SV3,SV4,SV5）が開放状態となることで、各低段側圧縮機（121,122,123）に溜まった余剰の油が、室外回路（40）の各高段側圧縮機（41,42,43）側へ送られる。
【００７８】
室外回路（40）には、第１逃がし管（144）、第１バイパス管（145）、第１吸入側インジェクション管（146）、及び第１吐出側インジェクション管（147）が設けられている。
【００７９】
第１逃がし管（144）は、後述する冷却運転時に各低段側圧縮機（121,122,123）が故障等により休止した場合に、各低段側圧縮機（121,122,123）の吸入側の冷媒を室外回路（40）の各高段側圧縮機（41,42,43）側へ送るものである。第１逃がし管（144）は、その一端が各低段側圧縮機（121,122,123）の吸入側と接続し、その他端が第１低段側油分離器（124）と第３閉鎖弁（23）との間に接続している。
【００８０】
第１バイパス管（145）は、冷媒が各低段側圧縮機（121,122,123）をバイパス可能とするものである。第１バイパス管（145）は、各低段側圧縮機（121,122,123）の吸入側と吐出側とを繋いでいる。具体的には、第１バイパス管（145）の一端は、第１低段側吸入管（138）に接続されている。一方、図３に示すように、第１バイパス管（145）の他端は、第１低段側油分離器（124）の底部と繋がるように、上記第１低段側油戻し管（124a）に接続されている。第１バイパス管（145）には、第６電磁弁（SV6）が設けられている。
【００８１】
第１吸入側インジェクション管（146）は、各低段側圧縮機（121,122,123）の吸入側へ液冷媒を送るものである。冷却運転中には、液冷媒が各低段側圧縮機（121,122,123）に適宜吸入されることで、各低段側圧縮機（121,122,123）の吐出冷媒の温度が調節される。第１吸入側インジェクション管（146）は、その一端が第３連絡配管（33）に接続し、その他端は第１低段側吸入管（138）に接続している。第１吸入側インジェクション管（146）には、開度が調節可能な第３電動弁（146a）が設けられている。
【００８２】
第１吐出側インジェクション管（147）は、各低段側圧縮機（121,122,123）の吐出側へ液冷媒を送るものである。冷却運転中には、液冷媒が各低段側圧縮機（121,122,123）の吐出冷媒と混合することで、吐出冷媒中に残った油が冷媒と共に搬送され易くなる。つまり、各低段側圧縮機（121,122,123）の吐出冷媒が乾き過ぎとなると、冷媒中の油が連絡配管等に滞り易くなるが、吐出冷媒中に液冷媒を混合させることで、この油を室外回路（40）の各高段側圧縮機（41,42,43）側へ送り易くなる。第１吐出側インジェクション管（147）は、その一端が第３連絡配管（33）に接続し、その他端は第１低段側吐出管（134）に接続している。第１吐出側インジェクション管（147）には、開度が調節可能な第４電動弁（147a）が設けられている。
【００８３】
第１ブースタ回路（120）には、各種のセンサが設けられている。具体的には、上記第４吐出管（131）には第４吐出温度センサ（151）が、第５吐出管（132）には第５吐出温度センサ（152）が、第６吐出管（133）には第６吐出温度センサ（153）がそれぞれ設けられている。各吐出温度センサ（151,152,153）は、各低段側圧縮機（121,122,123）の吐出冷媒の温度をそれぞれ検出する。また、第１低段側吐出管（134）には第１低段側高圧圧力センサ（154）が、第１低段側吸入管（138）には第１低段側低圧圧力センサ（155）がそれぞれ設けられている。第１低段側高圧圧力センサ（154）は、第１ブースタ回路（120）の吐出側の冷媒の圧力を、第１低段側低圧圧力センサ（155）は、第１ブースタ回路（120）の吸入側の冷媒の圧力をそれぞれ検出する。
【００８４】
第１ブースタ回路（120）には、複数の逆止弁が設けられている。具体的には、第４吐出管（131）には第７逆止弁（CV7）が、第５吐出管（132）には第８逆止弁（CV8）が、第６吐出管（133）には第９逆止弁（CV9）がそれぞれ設けられている。第１逃がし管（144）には第１０逆止弁（CV10）が設けられている。
【００８５】
《第２ブースタユニット》
上記第２ブースタユニット（16）の第２ブースタ回路（160）は、上述した第１ブースタ回路（120）と同様の構成となっているので、詳細な説明は省略する。即ち、第２ブースタ回路（160）には、第４低段側圧縮機（161）、第５低段側圧縮機（162）、及び第６低段側圧縮機（163）が設けられている。また、第２ブースタ回路（160）には、第７から第９までの吐出管（171,172,173）と、第２低段側吐出管（174）と、第７から第９までの吸入管（175,176,177）と、第２低段側吸入管（178）とが設けられている。
【００８６】
第２ブースタ回路（160）には、第２低段側油分離器（164）と第２低段側油戻し管（164a）と第４から第６までの油排出管（181,182,183）が設けられている。第２低段側油戻し管（164a）には第７電磁弁（SV7）が、各油排出管（181,182,183）には第８から第１０までの電磁弁（SV8,SV9,SV10）がそれぞれ設けられている。また、第２ブースタ回路（160）には、第２逃がし管（184）、第２バイパス管（185）、第２吸入側インジェクション管（186）、及び第２吐出側インジェクション管（187）が設けられている。第２バイパス管（185）には第１１電磁弁（SV11）が、第２吸入側インジェクション管（186）には第５電動弁（186a）が、第２吐出側インジェクション管（187）には第６電動弁（187a）がそれぞれ設けられている。
【００８７】
更に、第２ブースタ回路（160）には、第７から第９までの吐出温度センサ（191,192,193）と、第２低段側高圧圧力センサ（194）と、第２低段側低圧圧力センサ（195）と、第１１から第１４までの逆止弁（CV11,CV12,CV13,CV14）が設けられている。
【００８８】
《制御ユニット》
本実施形態の冷凍装置（5）には、制御ユニットとしてのコントローラ（200）が設けられている。このコントローラ（200）は、室外ユニット（11）、過冷却ユニット（13）、冷凍ショーケース（14）、第１ブースタユニット（15）、及び第２ブースタユニット（16）の各センサ等で得られた検出信号が入力可能であり、またこれらのユニット（11,13,14,15,16）の各要素機器へ制御信号を出力可能に構成されている。
【００８９】
〈室外側の各ユニットの設置構造〉
次に、上述した室外ユニット（11）、拡張ユニット（12）、及び過冷却ユニット（13）の設置構造について図４を参照しながら説明する。
【００９０】
室外ユニット（11）は室外ユニットケーシング（11a）を、拡張ユニット（12）は拡張ユニットケーシング（12a）を、過冷却ユニット（13）は過冷却ユニットケーシング（13a）をそれぞれ備えている。各ケーシング（11a,12a,13a）は、それぞれ縦長の箱状に形成されている。
【００９１】
上記室外ユニットケーシング（11a）は、熱源側ケーシングを構成している。室外ユニットケーシング（11a）には、その３つの側面にそれぞれ吸込口（11b,11b,11b）が形成されている。各吸込口（11b）は、室外空気を室外ユニットケーシング（11a）内に導入するためのものである。各吸込口（11b）は、長方形状に形成されている。各吸込口（11b）の内部近傍には、その全域に跨るように上記室外熱交換器（44）が立設している。また、室外ユニットケーシング（11a）には、その上面に２つの吹出口（11c,11c）が形成されている。各吹出口（11c）は、室外ユニットケーシング（11a）内の空気を室外へ放出するためのものである。各吹出口（11c）は、円形状に形成されている。各吹出口（11c）には、その内部に上記室外ファン（60）がそれぞれ設けられている。また、室外ユニットケーシング（11a）には、図示しないが上述した各高段側圧縮機（41,42,43）やレシーバ（45）等が収納されている。
【００９２】
上記過冷却ユニットケーシング（13a）は、過冷却側ケーシングを構成している。過冷却ユニットケーシング（13a）には、その３つの側面にそれぞれ吸込口（13b,13b,13b）が形成されている。各吸込口（13b）は、室外空気を過冷却ユニットケーシング（13a）内に導入するためのものである。各吸込口（13b）は、長方形状に形成されている。各吸込口（13b）の内部近傍には、その全域に跨るように上記過冷却用室外熱交換器（93）が立設している。また、過冷却ユニットケーシング（13a）には、その上面に１つの吹出口（13c）が形成されている。吹出口（13c）は、過冷却ユニットケーシング（13a）内の空気を室外へ放出するためのものである。各吹出口（13c）は、円形状に形成されている。各吹出口（13c）には、その内部に上記過冷却用室外ファン（95）が設けられている。また、過冷却ユニットケーシング（13a）には、図示しないが上述した過冷却用圧縮機（92）や過冷却熱交換器（91）等が収納されている。
【００９３】
上記拡張ユニット（12）は、上記室外ユニットケーシング（11a）と過冷却ユニットケーシング（13a）の間に配置されている。具体的には、拡張ユニット（12）は、室外ユニットケーシング（11a）の右側に位置し、その右面の吸込口（11b）に隣り合うように配置されている。また、拡張ユニット（12）は、過冷却ユニットケーシング（13a）の左側に位置し、その左面の吸込口（13b）に隣り合うように配置されている。
【００９４】
拡張ユニットケーシング（12a）には、その側面に複数の空気流通孔（12b,12c）が形成されている。具体的には、拡張ユニットケーシング（12a）には、その前面に前側空気流通孔（12b）が形成され、その左右両側面に側方側空気流通孔（12c）がそれぞれ形成されている。各空気流通孔（12b,12c）は、拡張ユニットケーシング（12a）の上部と下部とに分散して形成されている。そして、拡張ユニットケーシング（12a）では、その左側の側方側空気流通孔（12c）が室外ユニットケーシング（12a）の吸込口（12b）と向かい合い、その右側の側方側空気流通孔（12c）が過冷却ユニットケーシング（13a）の吸込口（13b）と向かい合っている。
【００９５】
拡張ユニットケーシング（12a）には、上述した冷媒貯留器（81）が収納されている。つまり、冷媒貯留器（81）は、室外ユニットケーシング（11a）の吸込口（11b）と、過冷却ユニットケーシング（13a）の吸込口（12b）との間に設けられている。冷媒貯留器（81）は、室外ユニットケーシング（11a）の底板から天板に亘って鉛直に延びた略円筒状に形成されている。
【００９６】
−運転動作−
以下に、実施形態の冷凍装置（5）の運転動作について説明する。この冷凍装置（5）では、冷凍ショーケース（14）内を冷却する冷却運転と、冷凍ショーケース（14）内の各冷却熱交換器（102,112）の除霜を行うデフロスト運転とが可能となっている。
【００９７】
<冷却運転>
図５に示す冷却運転では、四路切換弁（48）が第１状態に設定される。また、室外膨張弁（47）が全閉状態となり、過冷却用膨張弁（94）、第１室内膨張弁（101）、及び第２室内膨張弁（111）の開度が適宜調節される。また、第６電磁弁（SV6）及び第１１電磁弁（SV11）が閉鎖状態となり、残りの電磁弁も原則として閉鎖状態となる。
【００９８】
冷却運転では、室外ファン（60）、過冷却用室外ファン（95）、庫内ファン（103）が駆動される。また、室外回路（40）の各高段側圧縮機（41,42,43）、第１ブースタ回路（120）の各低段側圧縮機（121,122,123）、第２ブースタ回路（160）の各低段側圧縮機（161,162,163）がそれぞれ駆動される。その結果、冷却運転中の冷媒回路では、室外熱交換器（44）が凝縮器となり、各冷却熱交換器（102,112）が蒸発器となる２段圧縮冷凍サイクルが行われる。
【００９９】
具体的には、各高段側圧縮機（41,42,43）から吐出された冷媒は、高段側吐出管（54）及び四路切換弁（48）を通過し、室外熱交換器（44）を流れる。室外熱交換器（44）では、冷媒が室外空気へ放熱して凝縮する。室外熱交換器（44）で凝縮した冷媒は、レシーバ（45）及び内部熱交換器（46）の第１伝熱管（46a）を通過して第３液管（63）へ流入する。第３液管（63）を流れる冷媒の一部は、第２インジェクション管（67）を流れる際に第２電動弁（67a）で減圧され、その後に内部熱交換器（46）の第２伝熱管（46b）を流れる。内部熱交換器（46）では、第１伝熱管（46a）を流れる高圧冷媒と、第２伝熱管（46b）を流れる低圧冷媒とが熱交換する。その結果、第１伝熱管（46a）内の冷媒の熱が、第２伝熱管（46b）内の冷媒の蒸発熱として奪われる。つまり、内部熱交換器（46）では、第１伝熱管（46a）を流れる冷媒が冷却される。第２伝熱管（46b）で蒸発した冷媒は、高段側吸入管（58）に流入する。
【０１００】
第３液管（63）を流出した冷媒は、冷媒貯留器（81）に流入する。ここで、冷却運転中の冷媒貯留器（81）では、後述するデフロスト運転時の冷凍サイクルに用いられる冷媒が貯留された状態となっている。この冷媒貯留器（81）では、その内部の冷媒が室外空気によって冷却される。この点について図４を参照しながら説明する。
【０１０１】
上述のようにして、室外ユニット（11）の室外ファン（60）が駆動されると、室外空気が吸込口（11b）より室外ユニットケーシング（11a）内に導入される。この空気は、室外熱交換器（44）を通過した後、吹出口（11c）を介して室外ユニットケーシング（11a）の上方へ吹き出される。
【０１０２】
同様に、過冷却ユニット（13）の過冷却用室外ファン（95）が駆動されると、室外空気が吸込口（13b）より過冷却ユニットケーシング（13a）内に導入される。この空気は、過冷却用室外熱交換器（93）を通過した後、吹出口（13c）を介して過冷却ユニットケーシング（13a）の上方へ吹き出される。
【０１０３】
一方、拡張ユニット（12）の近傍では、室外ユニット（11）及び過冷却ユニット（13）へそれぞれ空気が吸い込まれることに伴い、左右両側方への気流が生じている。具体的には、室外ユニットケーシング（11a）の右側の吸込口（11b）へ室外空気が吸込まれると、拡張ユニットケーシング（12a）の左側からこの吸込口（11b）へ向かう気流が生じる。同様に、過冷却ユニットケーシング（13a）の左側の吸込口（13b）へ室外空気が吸い込まれると、拡張ユニットケーシング（12a）の右側からこの吸込口（13b）へ向かう気流が生じる。このような気流が発生すると、拡張ユニットケーシング（12a）では、室外空気が前側空気流通孔（12b）より拡張ユニットケーシング（12a）内へ導入され、冷媒貯留器（81）の周囲を流通する。その結果、冷媒貯留器（81）から室外空気へ熱が放出され、冷媒貯留器（81）内の冷媒が冷却される。冷媒貯留器（81）内の冷媒の冷却に利用された空気は、拡張ユニットケーシング（12a）の各側方側空気流通孔（12c）を介して左右両側に吹き出され、その後に室外ユニットケーシング（11a）及び過冷却ユニットケーシング（13a）の各吸込口（11b,13b）内へ吸い込まれる。
【０１０４】
以上のようにして冷却された冷媒は、冷媒貯留器（81）を流出して過冷却熱交換器（91）へ流入する。一方、過冷却ユニット（13）の過冷却用冷媒回路（90b）では、蒸気圧縮式の冷凍サイクルが行われている。つまり、過冷却用冷媒回路（90b）では、過冷却用圧縮機（92）で圧縮された冷媒が、過冷却用室外熱交換器（93）で凝縮し、過冷却用膨張弁（94）で減圧され、低圧ガス冷媒となり、その後に過冷却熱交換器（91）の低圧側伝熱管（91b）へ送られる。過冷却熱交換器（91）では、高圧側伝熱管（91a）内の冷媒と、低圧側伝熱管（91b）内の低圧ガス冷媒とが熱交換する。その結果、高圧側伝熱管（91a）内の冷媒の熱が、低圧側伝熱管（91b）内の冷媒の蒸発熱として奪われる。従って、過冷却熱交換器（91）では、高圧側伝熱管（91a）内の冷媒が更に冷却される。
【０１０５】
過冷却熱交換器（91）の高圧側伝熱管（91a）を流出した冷媒は、第３連絡配管（33）を流れ、加熱配管部（33a）を流通する。ここで、ドレンパン（104）には、各冷却熱交換器（102,112）の表面から落ちた霜や、結露水が凍結した氷塊が溜まっている。このため、加熱配管部（33a）を流れる冷媒によってドレンパン（104）が加熱されると、ドレンパン（104）内の霜や氷塊が融解する。ドレンパン（104）内で融解した水は、排水管等を介してドレンパン（104）から排出される。一方、加熱配管部（33a）を流れる冷媒は、ドレンパン（104）内の霜や氷塊に融解熱を奪われて更に冷却される。加熱配管部（33a）を流出した冷媒は、第１冷凍回路（100）と第２冷凍回路（110）とに分流する。
【０１０６】
第１冷凍回路（100）に流入した冷媒は、第１室内膨張弁（101）を通過する際に減圧されてから第１冷却熱交換器（102）を流通する。第１冷却熱交換器（102）では、冷媒が庫内空気から吸熱して蒸発する。その結果、冷凍ショーケース（14）内の空気が冷却される。第１冷却熱交換器（102）で蒸発した冷媒は、第１ブースタ回路（120）へ流入する。
【０１０７】
同様に、第２冷凍回路（110）に流入した冷媒は、第２室内膨張弁（111）を通過する際に減圧されてから第２冷却熱交換器（112）を流通する。第２冷却熱交換器（112）では、冷媒が庫内空気から吸熱して蒸発する。第２冷却熱交換器（112）で蒸発した冷媒は、第２ブースタ回路（160）へ流入する。以上のようにして、冷凍ショーケース（14）内の空気は、例えば−３０℃に保たれる。
【０１０８】
第１ブースタ回路（120）へ流入した冷媒は、各低段側圧縮機（121,122,123）に吸入される。各低段側圧縮機（121,122,123）で圧縮された冷媒は、第１低段側油分離器（124）を通過して第６連絡配管（36）へ流出する。第１低段側油分離器（124）内では、各低段側圧縮機（121,122,123）の吐出冷媒中から油が分離される。分離後の油は、第２電磁弁（SV2）が適宜開放されることで、第１低段側油戻し管（124a）を経由して各低段側油分離器（121,122,123）に吸入される。
【０１０９】
同様に、第２ブースタ回路（160）へ流入した冷媒は、各低段側圧縮機（161,162,163）に吸入される。各低段側圧縮機（161,162,163）で圧縮された冷媒は、第２低段側油分離器（164）を通過して第６連絡配管（36）へ流出する。第２低段側油分離器（164）内では、各低段側圧縮機（161,162,163）の吐出冷媒中から油が分離される。分離後の油は、第７電磁弁（SV7）が適宜開放されることで、第２低段側油戻し管（164a）を経由して各低段側油分離器（161,162,163）に吸入される。
【０１１０】
第６連絡配管（36）で合流した冷媒は、四路切換弁（48）を通過して高段側吸入管（58）へ流入する。この冷媒は、上述の内部熱交換器（46）の第２伝熱管（46b）を流出した冷媒と混合し、各高段側圧縮機（121,122,123）に吸入されて圧縮される。
【０１１１】
<デフロスト運転>
この冷凍装置（5）のデフロスト運転では、第１冷却熱交換器（102）及び第２冷却熱交換器（112）の除霜が同時に行われる。この冷凍装置（5）では、上述の冷却運転が所定時間以上継続して行われると、上記冷却運転からデフロスト運転へと移行する。具体的には、コントローラ（200）に設けられたタイマーが所定の設定時間をカウントすると、各冷却熱交換器（102,112）の着霜量が増加していると判断し、デフロスト運転が行われる。
【０１１２】
図６に示すデフロスト運転では、四路切換弁（48）が第２状態に設定される。また、室外膨張弁（47）及び過冷却用膨張弁（94）の開度が適宜調節される一方、第１室内膨張弁（101）及び第２室内膨張弁（111）が全開状態となる。また、第６電磁弁（SV6）及び第１１電磁弁（SV11）が開放状態となり、残りの電磁弁は原則として閉鎖状態となる。
【０１１３】
デフロスト運転では、各高段側圧縮機（41,42,43）が運転状態となる一方、各低段側圧縮機（121,122,123,161,162,163）がそれぞれ休止状態となる。その結果、デフロスト運転中の冷媒回路（10）では、各冷却熱交換器（102,112）が凝縮器となり、室外熱交換器（44）が蒸発器となる冷凍サイクル（逆サイクルデフロスト）が行われる。
【０１１４】
このデフロスト運転では、各高段側圧縮機（41,42,43）で圧縮された冷媒が、第６連絡配管（36）へ流出する。第６連絡配管（36）へ流出した冷媒は、第１ブースタ回路（120）及び第２ブースタ回路（160）へ分流する。
【０１１５】
第１ブースタ回路（120）を流れる冷媒は、第１低段側油分離器（124）内へ流入する。第１低段側油分離器（124）では、その内部に溜まった冷媒が押し出されるようにして、第１バイパス管（145）へ流出する。第１バイパス管（145）を流れる冷媒は、第１低段側吸入管（138）を経由して、第１冷凍回路（100）へ流入する。
【０１１６】
第１冷凍回路（100）へ流入した冷媒は、第１冷却熱交換器（102）を流れる。第１冷却熱交換器（102）では、その表面の霜が内側から加熱されて融解する一方、冷媒はこの霜に融解熱を奪われて凝縮する。第１冷却熱交換器（102）で凝縮した冷媒は、全開状態の第１室内膨張弁（101）を通過し、第３連絡配管（33）へ流出する。
【０１１７】
同様に、第２ブースタ回路（160）を流れる冷媒は、第２低段側油分離器（164）内へ流入する。第２低段側油分離器（164）では、その内部に溜まった冷媒が押し出されるようにして、第２バイパス管（185）へ流出する。第２バイパス管（185）を流れる冷媒は、第２低段側吸入管（178）を経由して、第２冷凍回路（110）へ流入する。
【０１１８】
第２冷凍回路（110）へ流入した冷媒は、第２冷却熱交換器（112）を流れる。第２冷却熱交換器（112）では、その表面の霜が内側から加熱されて融解する一方、冷媒はこの霜に融解熱を奪われて凝縮する。第２冷却熱交換器（112）で凝縮した冷媒は、全開状態の第２室内膨張弁（111）を通過し、第３連絡配管（33）へ流出する。
【０１１９】
第３連絡配管（33）で合流した冷媒は、加熱配管部（33a）を流れる。その結果、この冷媒によってドレンパン（104）内が加熱され、ドレンパン（104）内の霜や氷塊が融解する。第３連絡配管（33）を流出した冷媒は、過冷却熱交換器（91）、冷媒貯留器（81）、及び内部熱交換器（46）を通過した後、室外膨張弁（47）で減圧される。室外膨張弁（47）で減圧された冷媒は、室外熱交換器（44）で凝縮し、各高段側圧縮機（41,42,43）へ吸入される。
【０１２０】
以上のようなデフロスト運転を継続して行うと、各冷却熱交換器（102,112）内には凝縮して液化した冷媒が徐々に溜まっていく。その結果、各冷却熱交換器（102,112）では、いわゆる冷媒の寝込みが生じてしまう。このため、デフロスト運転時の冷凍サイクルに用いられる冷媒の量が減少してしまい、各冷却熱交換器（102,112）の除霜能力が低下してしまうという問題が生じる。そこで、本実施形態の冷凍装置（5）には、このようなデフロスト運転時における冷媒量不足を解消すべく、冷媒回路（10）に冷媒貯留器（81）を設けるようにしている。
【０１２１】
つまり、図６に示すデフロスト運転時において、各冷却熱交換器（102,112）内に液冷媒が溜まり込むと、冷媒貯留器（81）からは各冷却熱交換器（102,112）内に溜まった冷媒に相当する冷媒が適宜排出される。つまり、冷媒貯留器（81）からは、デフロスト運転時の冷凍サイクルに要する冷媒量の不足分が冷媒回路（10）へ適宜補充される。ここで、冷媒貯留器（81）内には、デフロスト運転に要する充分な冷媒が貯留されているので、各冷却熱交換器（102,112）の除霜が終了するまでの間に冷媒貯留器（81）が空となってしまうことがない。
【０１２２】
−実施形態の効果−
上記実施形態では、デフロスト運転時の冷凍サイクルに用いられる冷媒を貯留するための冷媒貯留器（81）を冷媒回路（10）に設けるようにしている。このため、デフロスト運転時に各冷却熱交換器（102,112）で冷媒の寝込みが生じても、この冷媒の寝込み量に相当する冷媒を冷媒貯留器（81）から冷媒回路（10）へ適宜補充することができる。従って、各冷却熱交換器（102,112）を除霜するための冷媒を確実に確保することができ、デフロスト不良に陥ってしまうことを未然に回避することができる。
【０１２３】
また、上記実施形態では、冷媒貯留器（81）を室外に設置すると共に、冷却運転時の室外熱交換器（44）の流出側に設けるようにしている。このため、冷却運転時に室外熱交換器（44）で凝縮した冷媒を冷媒貯留器（81）内に貯め込むと共に、この冷媒を室外空気によって冷却することができる。この冷媒貯留器（81）は、拡張ユニットケーシング（12a）内に収納されているので、冷媒貯留器（81）の劣化や汚れの付着を防止できる。また、冷媒貯留器側ケーシング（12a）には、複数の空気流通孔（12b,12c）を形成するようにしたので、冷媒貯留器（81）内の冷媒の放熱効果が低下してしまうこともない。
【０１２４】
また、冷媒貯留器（81）は、室外ユニットケーシング（11a）や過冷却ユニットケーシング（13a）と異なるケーシング（12a）に収納されている。このため、室外ユニットケーシング（11a）や過冷却ユニットケーシング（13a）内の各要素機器から発生する熱が、冷媒貯留器（81）へ伝導してしまうのを回避できる。従って、冷却運転時において、冷媒貯留器（81）内の冷媒の放熱効果が低下してしまうことも未然に回避できる。
【０１２５】
更に、上記実施形態では、室外ユニットケーシング（11a）及び過冷却ユニットケーシング（13a）の各吸込口（11b,13b）と隣り合うように拡張ユニットケーシング（12a）を配置している。このため、図４に示すように、室外ユニットケーシング（11a）内に導入される吸込空気、及び過冷却ユニットケーシング（13a）に導入される吸込空気を利用して、冷媒貯留器（81）を効率的に冷却することができる。従って、ファン動力や部品点数の削減を図りながら、冷凍装置（5）の冷却能力を向上させることができる。
【０１２６】
《その他の実施形態》
上記実施形態については、以下のような構成としてもよい。
【０１２７】
上記実施形態の冷凍装置（5）は、二段圧縮冷凍サイクルを行って冷却運転を行うものである。しかしながら、単段圧縮冷凍サイクルでの冷却運転とデフロスト運転とを切り換える冷凍装置に本発明を適用するようにしても良い。また、冷媒回路（10）に接続される冷却熱交換器（102,112）は、１つだけでも良いし、３つ以上であっても良い。
【０１２８】
また、上記実施形態の冷媒貯留器（81）を室外ユニットケーシング（11a）内に設け、送風手段としての室外ファン（60）が搬送する空気を冷媒貯留器（81）の周囲に流通させるようにしても良い。同様に、冷媒貯留器（81）を過冷却ユニットケーシング（13a）内に設け、送風手段としての過冷却用室外ファン（95）が搬送する空気を冷媒貯留器（81）の周囲に流通させるようにしても良い。これらの場合にも、冷媒貯留器（81）内の冷媒の放熱効果が向上するので、この冷凍装置（5）の冷却能力を向上させることができる。
【０１２９】
また、上記実施形態の冷凍装置（5）に冷媒貯留器（81）を適宜増設できるようにしても良い。すなわち、デフロスト運転の運転条件や、冷却熱交換器の増設等に伴い、１つの冷媒貯留器（81）だけでは、デフロスト運転に要する冷媒量を充分確保できないこともある。従って、このような場合には、複数の冷媒貯留器（81）を直列に接続することで、デフロスト運転に要する冷媒量を充分確保することができる。
【０１３０】
なお、以上の実施形態は、本質的に好ましい例示であって、本発明、その適用物、あるいはその用途の範囲を制限することを意図するものではない。
【産業上の利用可能性】
【０１３１】
以上説明したように、本発明は、利用側熱交換器を備えた冷凍装置に関し、特に利用側熱交換器を除霜する冷凍サイクルを行うデフロスト運転が可能な冷凍装置について有用である。
【図面の簡単な説明】
【０１３２】
【図１】実施形態に係る冷凍装置の概略構成を示す配管系統図である。
【図２】実施形態に係る冷凍装置の冷却熱交換器を模式的に示した概略構成図である。
【図３】実施形態に係る冷凍装置の低段側油分離器の近傍を示す配管系統図である。
【図４】実施形態に係る冷凍装置において、室外に設置された各ユニットの設置構造を示す斜視図である。
【図５】実施形態に係る冷凍装置の冷却運転の冷媒の流れを示す配管系統図である。
【図６】実施形態に係る冷凍装置のデフロスト運転の冷媒の流れを示す配管系統図である。
【符号の説明】
【０１３３】
5             冷凍装置
10            冷媒回路
11a           室外ユニットケーシング（熱源側ケーシング）
11b           吸込口
11c           吹出口
12a           拡張ユニットケーシング（冷媒貯留器側ケーシング）
12b,12c       空気流通孔
13a           冷却ユニットケーシング（過冷却側ケーシング）
13b           吸込口
13c           吹出口
41,42,43      高段側圧縮機（圧縮機）
44            熱源側熱交換器（室外熱交換器）
60            室外ファン（送風手段）
81            冷媒貯留器
90b           過冷却用冷媒回路
92            過冷却用圧縮機
93            過冷却用熱源側熱交換器
95            過冷却用室外ファン（送風手段）
【図１】
2008180429.tif 000003
【図２】
2008180429.tif 000004
【図３】
2008180429.tif 000005
【図４】
2008180429.tif 000006
【図５】
2008180429.tif 000007
【図６】
2008180429.tif 000008